(57)【要約】      （修正有）【課題】ペットケアーサービスにおいて、店まで出向くか、高い出張料金や送迎料金を払って来て貰ったり、ペットを店まで連れていって貫うしか無かった等のように、近隣にペットショップが無い場合に生じる不便な面を解消する。【解決手段】軽自動車を利用した専用車によるペットケアーサービスシステムは、フランチャイズシステムにより、本部サーバーにて一括してＨＰの立ち上げと運用を行なうため、顧客はＨＰからの予約等により、自らの移動無く時間指定のペットケアーサービスを低額で受ける事が出来、加盟店側は、本部で一括管理したデータベースや顧客情報、ＨＰからの予約システムを、携帯電話からの閲覧や電子メールにより、利用する事が可能である。【選択図】図１
2005216280.tif 000002
【特許請求の範囲】
【請求項１】
ペット（主に犬）のケアーに関するサービスで、従来ペットショップ等店舗へ出向いて受けていた、ペットのカットやシャンプー等のペットケアーサービスを、依頼者はインターネットのホームページ（以下ＨＰという）での予約や電話での予約により、自らの移動無くサービスを受ける事が出来るしくみをフランチャイズ（以下、ＦＣという）化した、ペットケアーサービスシステム。
【請求項２】
軽自動車を利用した専用車（別紙図面）と、独自のサービスマニュアルと、経営マニュアルやちらしからなるビジネスキットとを準備した上でのＦＣシステムであり、請求項１のサービスを顧客が受ける際に、インターネットのＨＰを通じて顧客の居住地を入力する事によって、当該地区の加盟店が有する携帯電話へ電子メールにて連絡が行き、その後当該地区の加盟店からの電子メールや電話連絡での予約受付によって、自宅にいながら時間指定によるサービスを受けられる、ペットケアーサービスシステム。
【請求項３】
請求項２でインターネットのＨＰを通じて予約依頼した顧客の、住所、氏名、連絡先、依頼頻度、犬のくせ等を、本部のサーバーに記憶させるステップ、当該情報を地区毎にサーバー上にファイリングしてデーターベース化するステップ、本部サーバー上にて、記憶された前記のデーターベースを当該地区の担当加盟店が、自宅パソコン及び携帯電話のインターネットアクセスにより閲覧できるステップと、データーベース上に記憶された依頼頻度に応じて、顧客側に次回サービスを促す案内を本部サーバーから自動的に電子メールにより送信する事を特徴とする請求項１のペットケアーサービスシステム。
【発明の詳細な説明】
【発明の詳細な説明】
【技術分野】
【０００１】本発明は軽自動車による専門車とインターネット環境を利用した、ペットのケアーサービスのフランチャイズシステムに関する物である。
【背景技術】
【０００２】従来のペットのケアーサービスは、町中にある店舗まで飼い主が出向いて行き店内にて受けるか、店側の専用送迎車によりペットや飼い主を店側まで送迎して貰い店内でサービスを受けるか、何らかの手段により出張して来てくれたトリマーに自宅に入って貰い、風呂場等で作業をして貰っていた。
他方、就業者の側からすれば、トリマーとしての専門技術を持ち店側に雇われたとしても、経費率等の関係上一般的に雇用形態は不安定で、比較的低賃金である。また、独立開業するには店舗の賃貸料や維持費等、多額の資金（最低でも５００〜６００万円）が必要となる。
【発明の開示】
【発明が解決しようとする課題】
【０００３】そのために、以下のような欠点があった
（１）飼い主が有職者で日中に自宅にいない場合、ペットショップの営業している時間帯に連れて行くのが困難。
（２）また近隣にペットショップが無い場合、飼い主が運転技術を持っていなかっったり高齢であったりした場合は、店まで連れて行くのが困難。
（３）自宅に出張して来て貰う場合、他人を自宅に入れないといけない点や、風呂場等を汚される心配などのリスクがある。
（４）上記、（２）（３）の場合、店側の送迎サービスや出張サービスを受ける事になるが、その場合送迎料金や出張料金が加算される事になる為高額になり、高齢の年金生活者等低所得の世帯は、サービスを受ける事が困難。
（５）店の側からすると、店舗開設にあたっては賃貸契約に関する物やその他の準備物等多額の開設費用がかかり、その後の維持費についても開設費用の減価償却に関する物や店舗の賃貸利、店員の給与等、多額の固定費がかかる為、どうしても料金設定をある一定以上にせざるを得ない。
（６）「店舗を構える」という営業スタイルは、どうしても「待ち」の営業しか出来ない。様々な広告媒体を使って自店の存在を知らしめて集客する他無い為、地域にによっては集客に限界がある。
（７）また現状では、夢ある若者が専門技術を取得し、トリマーを職業として生活していこうと考えても、上記等の理由により実家等に資金力がある人以外が開業までこぎつけるのは大変困難であり、せっかく技術を持ちながら、現在多数存在するフリーターの予備軍となってしまう事も多くあった。
（８）上記、（７）の場合などでの個人の開業ではＨＰの開設や管理、予約の取得等、インターネット環境を利用する為にはそれ相応の知識や時間、もしくは専門家に依頼するだけの資金力が必要である。
本発明は、これらの欠点を解決する為になされたビジネス方法に関する物である。
【課題を解決する為の手段】
【０００４】本発明は、ペット（主に犬）のケアーに関するサービスで、従来ペットショップ等店舖へ出向いて受けていた、ペットのカットやシャンプー等を、依頼者はインターネットのホームページ（以下ＨＰという）での予約等により、自宅前まで出向いてくれる専用車により、自らの移動無くサービスを受ける事が出来るシステムである。そのため、上記
【０００３】の（２）、（３）で述べた欠点は即時に解決する。
また、軽自動車を利用した今回申請の専用車（別紙図面）と、独自のサービスマニュアルと経営マニュアルやちらしからなるビジネスキットとを準備した上でのＦＣシステムであり、上記のサービスを顧客が受ける際に、インターネットのＨＰを通じて顧客の居住地を入力する事によって、当該地区の加盟店が有する携帯電話へ電子メールにて連絡が行き、その後当該地区の加盟店からの電子メールや電話連絡での予約受付によって、自宅にいながら時間指定によるサービスを受けられる、ペットケアーサービスシステムである。
加えて、インターネットのＨＰを通じて予約依頼した顧客の、住所、氏名、連絡先、依頼頻度、犬の癖等を、本部のサーバーに記憶させ、当該情報を地区ごとにサーバー上にファイリングしてデーターベース化し、本部サーバー上にて、記憶された前記のデーターベースを当該地区の担当加盟店が、自宅パソコン及び携帯電話のインターネットアクセスにより閲覧できる形態にして、またデーターベース上に記憶された依頼頻度に応じて、顧客側に次回サービスを促す案内を本部サーバーから自動的に電子メールにより送信する事を特徴とする上記のペットケアーサービスシステムである。
【発明の効果】
【０００５】この発明は軽自動車を利用した専用車（別紙図面）と独自のサービスマニュアルと経営マニュアルとちらし等のビジネスキットを準備した上でのペットケアーサービスを、ＦＣ化したシステムである。その為、
（ａ）前記の専用車は軽自動車を利用。その為、従来では考えられない低コストでの起業が可能（約１００万〜１３０万円）。
（ｂ）前項（ａ）で述べた低コストでの起業及び、専用車、マニュアル、ビジネスキット等の既存の準備物がある為、学校を卒業したてであったり店員として働いただけ等技術はあっても経営の経験が無い者であっても容易に自分で独立が可能。
（ｃ）インターネットを通じての呼び掛けと、既存の専用車、マニュアル等の凖備物により、全国どの地域にいても、店舗を構える事に比べ非常に低コストでの起業が可能。
（ｄ）前項（ｂ）（ｃ）で述べた要件により、従来であれば技術を持ちながら、低賃金でペットショップ等、既存の小店舖に就職するしか進路の無かった若いトリマーに、低コストでの起業の可能性を提供。
（ｅ）前項（ｂ）（ｃ）で述べた要件により、低コストでの「動く自分の店」を持つ事で、結婚、出産等で技術を持ちながら就業不能となったトリマー等に、低コストでの起業の可能性を提供出来、上記の様な女性のライフスタイルの変化に応じた就業が可能。である為、上記
【０００３】の（５）、（６）、（７）の欠点は解決する。
合わせて、
（ｆ）高齢化社会が進むにつれて、ペット人口は増加の一方、飼い主の老齢化により、自宅まで出向いてのペットケアーサービスは、今後の需要が見込まれる。
（ｇ）前記（ａ）で述べた理由により、店舗を構えるに比べて段違いの低いランニングコストでの経営維持が可能なため、一回の料金を既存店舖より大変割安に抑える事が可能である。その為、上記
【０００３】の（４）の欠点についても解決する。
また、
（ｈ）加盟店を地区割に分ける事によって、同ＦＣ内での不要な食い合いを防ぐと共に、ＦＣ本部のＨＰより地区別の予約を受け付ける事によって、パソコンを持たないＦＣ加盟店であっても本部サーバーから携帯電話への電子メールでの連絡との形で予約を受け付ける事が可能であり、ＦＣ本部より一括のインターネット環境を利用したＨＰ等による広告媒体を使う事により、非常に低コストでの宣伝が可能である。この事により、上記
【０００３】の（８）で述べた欠点についても解決する。
（ｉ）ＨＰを介してのＥ−ｍａｉｌによる予約の受け付けによって、予約受け付けの時間帯やサービスを提供する時間帯に幅が出来る為、上記
【０００３】の（１）の欠点についても解決する。
（ｊ）ペットケアーのサイクルは飼い主に応じて大体一定であるので、本部サーバー上から依頼頻度に応じての自動的な案内サービスを行なう事により、需要のリピートの取り零しが少ない。
以上の事が、本発明の主な効果である。
また、前記（ｂ）（ｄ）（ｅ）の事柄により、専門学校での技術を習得しながら出産、子育てなどのライフサイクルの変化によって家庭に燻っている層や、若いフリーター予備軍に低コストでの起業の可能性を与える事によって、既存産業の構造改革に寄与する事が可能なシステムであり、別紙図面にもある通り、軽自動車一台で全てを賄うため、客先での駐車スペースも非常に小さくて済み、小回りも利き、客先で水や電気等を借りる必要もないとの大きな利便性を特徴とするしくみである。
加えて、いくらＩＴ社会、インターネット社会と言ったところで、上記のような利益率の低い仕事で資金力の乏しい個人が自宅サーバーを立ち上げたり、今回のようなコンピューターによる予約システムを立ち上げるのは、資金力、技術力の上で非常に困難である。ＦＣ化し、本部が一括でその部分をカバーする事で、その問題は解決する。これが、本発明のビジネス手法をＦＣ化する効果である。
【発明を実施する為の最良の形態】
【０００６】以下、本発明の実施の形態について、説明する。
（１）ワンボックスのバンタイプの軽自動車を準備して別紙図面の通りに内部に部品を配置（固定）する。（出願人は、三菱自動車のミニキャブバンを改良した。）
（２）ＦＣ本部を立ち上げ、本部サーバーにてＨＰの立ち上げと同時に（１）の軽自動車を利用して独立したい加盟店を、ＨＰやその他の広告媒体を使い全国的に募集す。
（３）上記（２）のＨＰ立ち上げの際に、顧客からの予約受け付けを都道府県の予め区分けした地区ごとに振り分けられる様に設定し、予約受け付けの際にその地区ごとに１店ずつ振り分けられた加盟店の登録している電子メールアドレスに、直接連絡が行く様に設定する。
（４）本部サーバー上に、地区ごと（加盟店ごと）の顧客情報をファイリングして管理し、暗証番号による侵入などのセキュリティを設けた上で、そのデータベースを加盟店の携帯電話によるインターネットアクセスでも見る事が出来る様に設定する。
以上の事により、自分で専用サーバーを持つ事の出来ない層であっても本部で整備した予約システムや、顧客管理情報を携帯電話の使用による利用が可能である。
【産業上の利用可能性】
【０００７】上記にも記した様に、本発明は従来では考えられない低コストの開業費と維持費により、トリマーの技術を持つ若者に「動く自分の店」を持つ可能性を提供する為、独立開業の裾野が広がり、また、低コストの維持費を可能にしたシステムであるので、段違いに安い料金でペットのケアーサービスを提供出来る為、今後進むであろう高齢化社会において、年金によって限られた少ない収入の中で暮らしているお年寄りにも、自宅に居ながら気軽に［子供代わりのペット］のケアーを利用して貰える点など、特に若年層の就業意欲の昂進と高齢者の生活の利便性の両面から、今後の社会に寄与出来るシステムであると考える。
【図１】
2005216280.tif 000003
【手続補正書】
【提出日】平成16年5月10日(2004.5.10)
【手続補正１】
【補正対象書類名】明細書
【補正対象項目名】全文
【補正方法】変更
【補正の内容】
【発明の詳細な説明】
【技術分野】
【０００１】本発明は軽自動車による専門車とインタ−ネット環境を利用した、ペットのケア−サ−ビスのフランチャイズシステムに関する物である。
【背景技術】
【０００２】従来のペットのケア−サ−ビスは、町中にある店舖まで飼い主が出向いて行き店内にて受けるか、店側の専用送迎車によりペットや飼い主を店側まで送迎して貰い店内でサ−ビスを受けるか、何らかの手段により出張して来てくれたトリマ−に自宅に入って貰い、風呂場等で作業をして貰っていた。他方、就業者の側からすれば、トリマ−としての専門技術を持ち店側に雇われたとしても、経費率等の関係上一般的に雇用形態は不安定で、比較的低賃金である。また、独立開業するには店舖の賃貸料や維持費等、多額の資金（最低でも５００〜６００万円）が必要となる。
【発明の開示】
【発明が解決しようとする課題】
【０００３】そのために、以下のような欠点があった（１）飼い主が有職者で日中に自宅にいない場合、ペットショップの営業している時間帯に連れて行くのが困難。（２）また近隣にペットショップが無い場合、飼い主が運転技術を持っていなかっったり高齢であったりした場合は、店まで連れて行くのが困難。（３）自宅に出張して来て貰う場合、他人を自宅に入れないといけない点や、風呂場等を汚される心配などのリスクがある。（４）上記、（２）（３）の場合、店側の送迎サ−ビスや出張サ−ビスを受ける事になるが、その場合送迎料金や出張料金が加算される事になる為高額になり、高齢の年金生活者等低所得の世帯は、サ−ビスを受ける事が困難。（５）店の側からすると、店舖開設にあたっては賃貸契約に関する物やその他の準備物等多額の開設費用がかかり、その後の維持費についても開設費用の減価償却に関する物や店舗の賃貸料、店員の給与等、多額の固定費がかかる為、どうしても料金設定をある一定以上にせざるを得ない。（６）「店舖を構える」という営業スタイルは、どうしても「待ち」の営業しか出来ない。様々な広告媒体を使って自店の存在を知らしめて集客する他無い為、地域にによっては集客に限界がある。（７）また現状では、夢ある若者が専門技術を取得し、トリマ−を職業として生活していこうと考えても、上記等の理由により実家等に資金力がある人以外が開業までこぎつけるのは大変困難であり、せっかく技術を持ちながら、現在多数存在するフリ−タ−の予備軍となってしまう事も多くあった。（８）上記、（７）の場合などでの個人の開業ではＨＰの開設や管理、予約の取得等、インタ−ネット環境を利用する為にはそれ相応の知識や時間、もしくは専門家に依頼するだけの資金力が必要である。本発明は、これらの欠点を解決する為になされたビジネス方法に関する物である。
【課題を解決する為の手段】
【０００４】本発明は、ペット（主に犬）のケア−に関するサ−ビスで、従来ペットショップ等店舗へ出向いて受けていた、ペットのカットやシャンプ−等を、依頼者はインタ−ネットのホ−ムペ−ジ（以下ＨＰという）での予約等により、自宅前まで出向いてくれる専用車により、自らの移動無くサ−ビスを受ける事が出来るシステムである。そのため、上記
【０００３】の（２）、（３）で述べた欠点は即時に解決する。また、軽自動車を利用した今回申請の専用車（別紙図面）と、独自のサ−ビスマニュアルと経営マニュアルやちらしからなるビジネスキットとを準備した上でのＦＣシステムであり、上記のサ−ビスを顧客が受ける際に、インタ−ネットのＨＰを通じて顧客の居住地を入力する事によって、当該地区の加盟店が有する携帯電話へ電子メ−ルにて連絡が行き、その後当該地区の加盟店からの電子メ−ルや電話連絡での予約受付によって、自宅にいながら時間指定によるサ−ビスを受けられる、ペットケア−サ−ビスシステムである。加えて、インタ−ネットのＨＰを通じて予約依頼した顧客の、住所、氏名、連絡先、依頼頻度、犬の癖等を、本部のサ−バ−に記憶させ、当該情報を地区ごとにサ−バ−上にファイリングしてデ−タ−ベ−ス化し、本部サ−バ−上にて、記憶された前記のデ−タ−ベ−スを当該地区の担当加盟店が、自宅パソコン及び携帯電話のインタ−ネットアクセスにより閲覧できる形態にして、またデ−タ−ベ−ス上に記憶された依頼頻度に応じて、顧客側に次回サ−ビスを促す案内を本部サ−バ−から自動的に電子メ−ルにより送信する事を特徴とする上記のペットケア−サ−ビスシステムである。
【発明の効果】
【０００５】この発明は軽自動車を利用した専用車（別紙図面）と独自のサ−ビスマニュアルと経営マニュアルとちらし等のビジネスキットを準備した上でのペットケア−サ−ビスを、ＦＣ化したシステムである。その為、（ａ）前記の専用車は軽自動車を利用。その為、従来では考えられない低コストでの起業が可能（約１００万〜１３０万円）。（ｂ）前項（ａ）で述べた低コストでの起業及び、専用車、マニュアル、ビジネスキット等の既存の準備物がある為、学校を卒業したてであったり店員として働いただけ等技術はあっても経営の経験が無い者であっても容易に自分で独立が可能。（ｃ）インタ−ネットを通じての呼び掛けと、既存の専用車、マニュアル等の準備物により、全国どの地域にいても、店舖を構える事に比べ非常に低コストでの起業が可能。（ｄ）前項（ｂ）（ｃ）で述べた要件により、従来であれば技術を持ちながら、低賃金でペットショップ等、既存の小店舗に就職するしか進路の無かった若いトリマ−に、低コストでの起業の可能性を提供。（ｅ）前項（ｂ）（ｃ）で述べた要件により、低コストでの「動く自分の店」を持つ事で、結婚、出産等で技術を持ちながら就業不能となったトリマ−等に、低コストでの起業の可能性を提供出来、上記の様な女性のライフスタイルの変化に応じた就業が可能。である為、上記
【０００３】の（５）、（６）、（７）の欠点は解決する。合わせて、（ｆ）高齢化社会が進むにつれて、ペット人口は増加の一方、飼い主の老齢化により自宅まで出向いてのペットケア−サ−ビスは、今後の需要が見込まれる。（ｇ）前記（ａ）で述べた理由により、店舗を構えるに比べて段違いの低いランニングコストでの経営維持が可能なため、一回の料金を既存店舗より大変割安に抑える事が可能である。その為、上記
【０００３】の（４）の欠点についても解決する。また、（ｈ）加盟店を地区割に分ける事によって、同ＦＣ内での不要な食い合いを防ぐと共に、ＦＣ本部のＨＰより地区別の予約を受け付ける事によって、パソコンを持たないＦＣ加盟店であっても本部サ−バ−から携帯電話への電子メ−ルでの連絡との形で予約を受け付ける事が可能であり、ＦＣ本部より一括のインタ−ネット環境を利用したＨＰ等による広告媒体を使う事により、非常に低コストでの宣伝が可能である。この事により、上記
【０００３】の（８）で述べた欠点についても解決する。（ｉ）ＨＰを介してのＥ−ｍａｉｌによる予約の受け付けによって、予約受け付けの時間帯やサ−ビスを提供する時間帯に幅が出来る為、上記
【０００３】の（１）の欠点についても解決する。（ｊ）ペットケア−のサイクルは飼い主に応じて大体一定であるので、本部サ−バ−上から依頼頻度に応じての自動的な案内サ−ビスを行なう事により、需要のリピ−トの取り零しが少ない。以上の事が、本発明の主な効果である。また、前記（ｂ）（ｄ）（ｅ）の事柄により、専門学校での技術を習得しながら出産、子育てなどのライフサイクルの変化によって家庭に燻っている層や、若いフリ−タ−予備軍に低コストでの起業の可能性を与える事によって、既存産業の構造改革に寄与する事が可能なシステムであり、別紙図面にもある通り、軽自動車一台で全てを賄うため、客先での駐車スペ−スも非常に小さくて済み、小回りも利き、客先で水や電気等を借りる必要もないとの大きな利便性を特徴とするしくみである。加えて、いくらＩＴ社会、インタ−ネット社会と言ったところで、上記のような利益率の低い仕事で資金力の乏しい個人が自宅サ−バ−を立ち上げたり、今回のようなコンピュ−タ−による予約システムを立ち上げるのは、資金力、技術力の上で非常に困難である。ＦＣ化し、本部が一括でその部分をカバ−する事で、その問題は解決する。これが、本発明のビジネス手法をＦＣ化する効果である。
【発明を実施する為の最良の形態】
【０００６】以下、本発明の実施の形態について、説明する。（１）ワンボックスのバンタイプの軽自動車を準備して別紙図面の通りに内部に部品を配置（固定）する。（出願人は、三菱自動車のミニキャブバンを改良した。）（２）ＦＣ本部を立ち上げ、本部サ−バ−にてＨＰの立ち上げと同時に（１）の軽自動車を利用して独立したい加盟店を、ＨＰやその他の広告媒体を使い全国的に募集する。（３）上記（２）のＨＰ立ち上げの際に、顧客からの予約受け付けを都道府県の予め区分けした地区ごとに振り分けられる様に設定し、予約受け付けの際にその地区ごとに１店ずつ振り分けられた加盟店の登録している電子メ−ルアドレスに、直接連絡が行く様に設定する。（４）本部サ−バ−上に、地区ごと（加盟店ごと）の顧客情報をファイリングして管理し、暗証番号による侵入などのセキュリテイを設けた上で、そのデ−タベ−スを加盟店の携帯電話によるインタ−ネットアクセスでも見る事が出来る様に設定する。以上の事により、自分で専用サ−バ−を持つ事の出来ない層であっても本部で整備した予約システムや、顧客管理情報を携帯電話の使用による利用が可能である。
【産業上の利用可能性】
【０００７】上記にも記した様に、本発明は従来では考えられない低コストの開業費と維持費により、トリマ−の技術を持つ若者に「動く自分の店」を持つ可能性を提供する為、独立開業の裾野が広がり、また、低コストの維持費を可能にしたシステムであるので、段違いに安い料金でペットのケア−サ−ビスを提供出来る為、今後進むであろう高齢化社会において、年金によって限られた少ない収入の中で暮らしているお年寄りにも、自宅に居ながら気軽に［子供代わりのペット］のケア−を利用して貰える点など、特に若年層の就業意欲の昂進と高齢者の生活の利便性の両面から、今後の社会に寄与出来るシステムであると考える。
【図面の簡単な説明】
【０００８】
【図１】この図面は本発明の本文中に表記の軽自動車を利用しての専用車（具体的には
【０００６】の（１）に表記）を上から見て、実際に使う器具のレイアウトを示した物である。図の上部が車の前面になり、点線で表記の▲１▼は運転席になる。車内には利用者がペットのケアーサービスをする際に必要な部品を揃えてあり、具体的には（１）▲２▼のシャンプータブにてペットの体を洗い、▲３▼のトリミング台に移動させて乾かせ、身繕いや毛のカットを行なう。その際に▲４▼の椅子に腰掛けたり、▲５▼の小物台や▲６▼の網棚を利用してシャンプー・カットの際に必要なシャンプー、リンス、タオル、ドライヤー、はさみ等の必要な物を配置、保管しておく。（２）（１）の作業の際に、▲７▼、▲８▼の照明で、車内を明るくする事により、作業がし易くなる。（３）▲９▼の水タンクの水を▲１０▼の給湯器により人肌程度に暖め、▲１１▼の給湯配管を通して▲２▼のシャンプータブでペットの体を洗う際に利用出来るようにする。
【符号の説明】
【０００９】
【図１】
について▲１▼  車の運転席▲２▼  シャンプータブ…ペットを洗うための風呂桶、バスタブ。▲３▼  トリミング台…ペットを乾かしたり、毛をカットしたりするための台。▲４▼  椅子▲５▼  小物台▲６▼  網棚…ハンモックの様な、物を置ける場所。▲７▼、▲８▼  照明▲９▼  水タンク…ペットを洗う際に必要な水を貯めておくタンク。▲１０▼  給湯器…水タンクの水を暖める為の機具。▲１１▼  給湯配管…給湯器で暖めた水を▲２▼のシャンプータブまで移動させる配管。
【手続補正２】
【補正対象書類名】図面
【補正対象項目名】図１
【補正方法】変更
【補正の内容】
【図１】
2005216280.tif 000004